【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
下記の化学式１
【化２３】
2016528327.tif 000001
（上記Ｒ1、Ｒ2、Ｒ3、Ｒ’1、Ｒ’2、Ｒ’3は、独立して、水素、炭素数１乃至３のアルキル基または炭素数６以上のアリール基であり、Ｒ4は
【化２４】
2016528327.tif 000002
であり、Ｒ’4は炭素数１乃至３のアルキル基、炭素数６以上のアリール基または
【化２５】
2016528327.tif 000003
であり、Ｒ5、Ｒ’5、Ｒ7は、独立して、いずれか一つが−ＯＨであり、残りはそれぞれ水素であり、Ｒ6は水素あるいは炭素数１乃至４のアルコキシド基であり、Ｒ8は炭素数２乃至８の線状または分枝されたアルキレン基であり、ｎとｍは整数であって、０＜ｎ＋ｍ≦９９である）で示される化合物であることを特徴とするポリオルガノシロキサン化合物。
【請求項２】
前記Ｒ1、Ｒ2、Ｒ3、Ｒ’1、Ｒ’2、Ｒ’3は、それぞれ、ＣＨ3−またはＣ6Ｈ5−であることを特徴とする請求項１に記載のポリオルガノシロキサン化合物。
【請求項３】
前記Ｒ6は、水素であることを特徴とする請求項１に記載のポリオルガノシロキサン化合物。
【請求項４】
前記Ｒ5およびＲ’5が水素であり、Ｒ7は−ＯＨであることを特徴とする請求項１に記載のポリオルガノシロキサン化合物。
【請求項５】
前記Ｒ8は、炭素数３乃至５の分枝されたアルキレンであることを特徴とする請求項１に記載のポリオルガノシロキサン化合物。
【請求項６】
前記化学式１で示される化合物は、下記の化学式２
【化２６】
2016528327.tif 000004
（上記ｐは、前記化学式１のｎ＋ｍである）で示される化合物であることを特徴とする請求項１に記載のポリオルガノシロキサン化合物。
【請求項７】
前記化学式１で示される化合物は、下記の化学式３
【化２７】
2016528327.tif 000005
（上記ｐは、前記化学式１のｎ＋ｍである）で示される化合物であることを特徴とする請求項１に記載のポリオルガノシロキサン化合物。
【請求項８】
前記化学式１で示される化合物は、下記の化学式５
【化２８】
2016528327.tif 000006
（上記ｐは、前記化学式１のｎ＋ｍである）で示される化合物であることを特徴とする請求項１に記載のポリオルガノシロキサン化合物。
【請求項９】
出発物質として炭素数２乃至８のアルケニルアルコールとヒドロキシ安息香酸を使用し、前記ヒドロキシ安息香酸に炭素数２乃至８のアルケニルアルコールをエステル化反応させてアルケニルヒドロキシベンゾエートを製造する段階；および前記アルケニルヒドロキシベンゾエートにポリオルガノシロキサンであって両側末端基が水素である化合物Ｈ−ＰＤＭＳをヒドロシリル化反応させて下記の化学式１
【化２９】
2016528327.tif 000007
（上記Ｒ1、Ｒ2、Ｒ3、Ｒ’1、Ｒ’2、Ｒ’3は、独立して、水素、炭素数１乃至３のアルキル基または炭素数６以上のアリール基であり、Ｒ4は
【化３０】
2016528327.tif 000008
であり、Ｒ’4は炭素数１乃至３のアルキル基、炭素数６以上のアリール基または
【化３１】
2016528327.tif 000009
であり、Ｒ5、Ｒ’5、Ｒ7は、独立して、いずれか一つが−ＯＨであり、残りはそれぞれ水素であり、Ｒ6は水素あるいは炭素数１乃至４のアルコキシド基であり、Ｒ8は炭素数２乃至８の線状または分枝されたアルキレン基であり、ｎとｍは整数であって、０＜ｎ＋ｍ≦９９である）で示されるポリオルガノシロキサン化合物を製造する段階；を含むことを特徴とするポリオルガノシロキサン化合物の製造方法。
【請求項１０】
出発物質として炭素数２乃至８のアルケニルアルコールとヒドロキシ安息香酸を使用し、前記炭素数２乃至８のアルケニルアルコールをポリオルガノシロキサンであって両側末端基が水素であるＨ−ＰＤＭＳに反応させてＯＨ−ＰＤＭＳを収得する段階；および前記ＯＨ−ＰＤＭＳに前記ヒドロキシ安息香酸を投入し酸触媒下にエステル化反応させて、下記の化学式１
【化３２】
2016528327.tif 000010
（上記Ｒ1、Ｒ2、Ｒ3、Ｒ’1、Ｒ’2、Ｒ’3は、独立して、水素、炭素数１乃至３のアルキル基または炭素数６以上のアリール基であり、Ｒ4は
【化３３】
2016528327.tif 000011
であり、Ｒ’4は炭素数１乃至３のアルキル基、炭素数６以上のアリール基または
【化３４】
2016528327.tif 000012
であり、Ｒ5、Ｒ’5、Ｒ7は、独立して、いずれか一つが−ＯＨであり、残りはそれぞれ水素であり、Ｒ6は水素あるいは炭素数１乃至４のアルコキシド基であり、Ｒ8は炭素数２乃至８の線状または分枝されたアルキレン基であり、ｎとｍは整数であって、０＜ｎ＋ｍ≦９９である）で示されるポリオルガノシロキサン化合物を製造する段階；を含むことを特徴とするポリオルガノシロキサン化合物の製造方法。
【請求項１１】
芳香族ジオール化合物、カーボネート前駆体、および下記の化学式１
【化３５】
2016528327.tif 000013
（上記Ｒ1、Ｒ2、Ｒ3、Ｒ’1、Ｒ’2、Ｒ’3は、独立して、水素、炭素数１乃至３のアルキル基または炭素数６以上のアリール基であり、Ｒ4は
【化３６】
2016528327.tif 000014
であり、Ｒ’4は炭素数１乃至３のアルキル基、炭素数６以上のアリール基または
【化３７】
2016528327.tif 000015
であり、Ｒ5、Ｒ’5、Ｒ7は、独立して、いずれか一つが−ＯＨであり、残りはそれぞれ水素であり、Ｒ6は水素あるいは炭素数１乃至４のアルコキシド基であり、Ｒ8は炭素数２乃至８の線状または分枝されたアルキレン基であり、ｎとｍは整数であって、０＜ｎ＋ｍ≦９９である）で示されるポリオルガノシロキサン化合物を含んで重合されたことを特徴とするコーポリカーボネート樹脂。
【請求項１２】
前記コーポリカーボネート樹脂は、前記芳香族ジオール化合物、カーボネート前駆体、および前記化学式１で示されるポリオルガノシロキサン化合物の総１００重量％に対して前記芳香族ジオール化合物２５乃至８５重量％、前記化学式１で示されるポリオルガノシロキサン化合物１乃至６０重量％、および前記カーボネート前駆体１０乃至７０重量％で重合されたことを特徴とする請求項１１に記載のコーポリカーボネート樹脂。
【請求項１３】
前記カーボネート前駆体は、下記の化学式４
【化３８】
2016528327.tif 000016
（前記Ｘ1およびＸ2は、独立して、ハロゲン、ハロアルキル基、ハロシクロアルキル基、ハロアリール基、アルコキシ基またはハロアルコキシ基である）で示される化合物であることを特徴とする請求項１１に記載のコーポリカーボネート樹脂。
【請求項１４】
前記芳香族ジオール化合物は、ビス（４−ヒドロキシフェニル）メタン、ビス（４−ヒドロキシフェニル）エーテル、ビス（４−ヒドロキシフェニル）スルホン、ビス（４−ヒドロキシフェニル）スルホキシド、ビス（４−ヒドロキシフェニル）スルフィド、ビス（４−ヒドロキシフェニル）ケトン、１，１−ビス（４−ヒドロキシフェニル）エタン、２，２−ビス（４−ヒドロキシフェニル）プロパン（ビスフェノールＡ）、２，２−ビス（４−ヒドロキシフェニル）ブタン、１，１−ビス（４−ヒドロキシフェニル）シクロヘキサン（ビスフェノールＺ）、２，２−ビス（４−ヒドロキシ−３，５−ジブロモフェニル）プロパン、２，２−ビス（４−ヒドロキシ−３，５−ジクロロフェニル）プロパン、２，２−ビス（４−ヒドロキシ−３−ブロモフェニル）プロパン、２，２−ビス（４−ヒドロキシ−３−クロロフェニル）プロパン、２，２−ビス（４−ヒドロキシ−３−メチルフェニル）プロパン、２，２−ビス（４−ヒドロキシ−３，５−ジメチルフェニル）プロパン、１，１−ビス（４−ヒドロキシフェニル）−１−フェニルエタン、ビス（４−ヒドロキシフェニル）ジフェニルメタン、α，ω−ビス［３−（ο−ヒドロキシフェニル）プロピル］ポリジメチルシロキサンからなる群より選択された１種以上であることを特徴とする請求項１１に記載のコーポリカーボネート樹脂。
【請求項１５】
前記コーポリカーボネート樹脂は、分子量調節剤をさらに含んで重合されたことを特徴とする請求項１１に記載のコーポリカーボネート樹脂。
【請求項１６】
前記分子量調節剤は、モノ−アルキルフェノールであることを特徴とする請求項１５に記載のコーポリカーボネート樹脂。
【請求項１７】
前記分子量調節剤は、前記芳香族ジオール化合物、カーボネート前駆体、および前記化学式１で示されるポリオルガノシロキサン化合物の総合１００重量部を基準に０．０１乃至１０重量部で含まれることを特徴とする請求項１６に記載のコーポリカーボネート樹脂。
【請求項１８】
前記コーポリカーボネート樹脂は、重量平均分子量が１０，０００乃至８０，０００ｇ／ｍｏｌであり、ガラス転移温度が１４５乃至１６０℃であることを特徴とする請求項１１に記載のコーポリカーボネート樹脂。